Podtech/llm-jp-corpus-v4-ja_patent huggingface dataset:
(57)【要約】      （修正有）【課題】自動車で走行できない雪上での移動はスノウモービルが有効であるが、自重が重く目的地までの運搬が大変である事と、雪質が柔い場合や角度が少しきつくなると、駆動力であるクローラが空回りして走行不可能となる。【解決手段】雪上を走行するには、雪に埋もれないために、人の体重と動力機材の重さに耐えうる面積を持ったボードの前部両側に、３〜５枚のブレードを取り付けたホイールを設置し、ガソリンエンジンを動力として、ホイールを回転させ駆動力とする。運転は、固定されたハンドルを立った姿勢で持ち、方向変換は前部ホイールを軸として、ボード後部を体重移動で横滑りさせて行う。  全重量を７０キログラム以下に収め、尚且つボード・ホイール・エンジンフレーム本体・ハンドルを４分割することで、一人での取り扱い、運搬を可能とした。【選択図】図１
2006044619.tif 000002
【特許請求の範囲】
【請求項１】
図のようにボードの前部両側に、ブレード付きホイールをシャフトでつなぎガソリンエンジンを動力としてホイールを回転させ、ホイールのブレードで雪を掻き雪上を走行する乗り物。
【請求項２】
ハンドリングは、固定されたハンドルを手で持ち、前部ホイールを回転軸として、ボードの後部を体重移動によって横滑りさせることで行う。
【請求項３】
図１のボードの断面図にあるようにボードの中央部より後部をナックルさせることにより、ハンドリング時のボードの横滑りをよくするとともに、体重移動による足元のグリップを安定させる。
【請求項４】
図（１８）で雪質の硬弱や雪面の凸凹時、或いはブレードによる反力で発生するエンジンフレーム本体のバウンドを吸収し、積雪の量が少なく、ブレードが地面に当たりそうな場合（１９）で（１８）の高さを調節する。
【請求項５】
ボード・ホイール・エンジンフレーム本体・ハンドルをボルトナット式で簡単に分割することで運搬を容易にする。
【発明の詳細な説明】
【技術分野】
【０００１】  本発明はボードの前部両側に、外輪部にブレードの付いたホイールを設置し、ガソリンエンジンを動力としてホイールを回転させることにより、雪上を、立ったままの姿勢で固定されたハンドルを持ち、体重移動により、ボードの後部を横滑りさせることによって方向を変えながら、自由に走行するために、開発したものである。
［背景技術］【０００２】  スキーやスノウボードは本来、雪上の下り坂を滑走する乗り物で、平たん部や、登り坂の走行には無理がある。
スノーモービルは雪上を走行出来るが、新雪や柔い雪質の場合、駆動力であるクローラが空回りして走行できないし、又、自重が重いために同じような理由で登板力も弱い。
［発明の開示］
［発明が解決しようとする課題］【０００３】  自動車で走行出来ない雪上での移動は、スノーモービルが有力であるが、新雪時や雪質が柔い場合には走行出来ないし、登坂力も弱く、自重が重いために人力で持ち上げるのも困難で、目的地までの運搬には、専用の牽引車やトラックでの輸送となり大変である。
［課題を解決するための手段］【０００４】  雪上を走行するには、雪に埋もれないために，人の体重と動力機材の重さに耐えうる面積を持ったボードの前部両側に、ブレード（３〜５枚）を取り付けたホイールを設置し、ガソリンエンジンを動力としてホイールを回転させて駆動力とする。
運転は固定式のハンドルを持ち、ホイールを回転軸として、体重移動によりボード後部を横滑りさせることにより、方向変換をする。
ボード・ホイール・エンジンフレーム本体・ハンドルを４分割にして簡単な組み立て式とすることで、コンパクト化を図り軽量化することで、一人での取り扱いや一般の自動車での運搬を可能とする。
［発明を解決するための最良の形態］【０００５】  図（１）ボードは約、幅４００ミリ長さ１８００ミリとして、前部両側に穴明きピースを取り付け、図（５）によりボードとエンジンフレームを接続するが、ここがちょうばんの役割を果たし、図（１８）ショックアブソーバとの連動により雪面や雪質の変化にスムーズに対応する。
ボードの中央より後部はＢ断面図に有るように、ボードの端部をナックルさせることにより体重移動で行う方向変換時のボードの横滑りを滑らかにすると共に足元のグリップの役目も果たす。【０００６】  図（７）はガソリンエンジンで、図（８）には遠心クラッチと図（９）はプーリーの中にブレーキシステムを内蔵し、図（１０）のＶベルトで図（１１）の軸側プーリーに動力を伝達しホイールを回転させ、図（４）のブレードで雪を蹴って進む。
エンジン位置がホイールよりも後部に位置しているため、ブレードによる駆動時の反力にも対応でき安定走行が可能となる。【０００７】  図（１４）のハンドルは、右側がアクセル左側にブレーキレバーが付き、図（１７）のエンジンフレームとは着脱式であるが固定式である。
［発明の効果］
本発明のスノードラゴンは、今までの機器ではなしえなかった柔らかな雪上や新雪の多い所での走行や、きつい上り坂での走行をも可能にした。
運転も、立ったままで直ぐ乗れて走れる手軽さと、体重移動によるハンドリングの楽しさは、生活面だけでなく、スポーツ性、レジャー性も多く含んでいる。
運搬時はボード・ホイール・エンジン及びフレーム・ハンドルと４つに分割することでコンパクトになり、一般の自動車での運搬も可能である。
製造コストも、構造がシンプルであるために低く収まる。
【図面の簡単な説明】  ［図１］は側面外観図である。
［図２］は正面外観図である。
【符号の説明】
１・ボード
２・ホイール
３・ホイール着脱ボルト・ナット
４・ブレード
５・ボードとエンジンフレーム接続ボルト・ナット
６・軸受けベアリング
７・ガソリンエンジン
８・遠心変速機
９・ブレーキシステムとプーリー
１０・Ｖベルト
１１・軸側プーリー
１２・燃料タンク
１３・バッテリー
１４・ハンドル
１５・ブレーキレバー
１６・アクセル
１７・エンジンフレーム
１８・ショックアブソーバ
１９・ショックアブソーバ高さ調整ネジ
２０・フエンダー
２１・運転者
【図１】
2006044619.tif 000003
【図２】
2006044619.tif 000004
(57)【要約】【課題】トイレという空間を積極的に学習の場あるいは情報収集の場として利用するための効率的な啓蒙システムを提供すること。【解決手段】３個以上の複数連のトイレットペーパホルダ５０と、前記トイレットペーパホルダ５０おのおのに装着された情報を担持したトイレットペーパ１２を有することを特徴とするトイレットペーパを情報記録媒体とした啓蒙システム。【選択図】図１
2006296639.tif 000002
【特許請求の範囲】
【請求項１】
３個以上の複数連のトイレットペーパホルダと、
前記トイレットペーパホルダおのおのに装着された情報を担持したトイレットペーパと
を有することを特徴とするトイレットペーパを情報記録媒体とした啓蒙システム。
【請求項２】
前記複数連のトイレットペーパホルダが６つあることを特徴とする請求項１記載のトイレットペーパを情報記録媒体とした啓蒙システム。
【請求項３】
前記複数連のトイレットペーパホルダが水平に等間隔で並んでいることを特徴とする請求項１記載のトイレットペーパを情報記録媒体とした啓蒙システム。
【請求項４】
前記複数連のトイレットペーパホルダが上下２段で複数個水平に等間隔で並んでいることを特徴とする請求項１記載のトイレットペーパを情報記録媒体とした啓蒙システム。
【請求項５】
前記情報がゴルフに関する情報であることを特徴とする請求項１記載のトイレットペーパを情報記録媒体とした啓蒙システム。
【請求項６】
前記ゴルフに関する情報がゴルフレッスンに関する情報であることを特徴とする請求項５記載のトイレットペーパを情報記録媒体とした啓蒙システム。
【発明の詳細な説明】
【技術分野】
【０００１】
本発明は、トイレットペーパを情報記録媒体とした啓蒙システムに関する。
【背景技術】
【０００２】
近年印刷技術の発達と共に、学習用教材を印刷したトイレットペーパや広告面を有するトイレットペーパが提案されてきている。
【特許文献１】特開平５−２２８０６８９号公報
【特許文献２】特開２００５−４０２２７号公報
【発明の開示】
【発明が解決しようとする課題】
【０００３】
しかしながら、上記特許文献１および特許文献２ではトイレットペーパを単に情報記録媒体として利用する提案のみの記載に留まり、トイレという空間を積極的に学習の場あるいは情報収集の場として利用するにはなお不足である。
【０００４】
本発明は、このような従来技術上の問題点を解決するためになされたもので、トイレットペーパを情報記録媒体とした、トイレという空間を積極的に学習の場あるいは情報収集の場として利用するための効率的な啓蒙システムを提供することを目的とする。
【課題を解決するための手段】
【０００５】
かかる目的を達成するために、本発明に係るシステムは、３個以上の複数連のトイレットペーパホルダと、前記トイレットペーパホルダおのおのに装着された情報を担持したトイレットペーパとを有することを特徴とするトイレットペーパを情報記録媒体として構成される。
【０００６】
ここで、前記複数連のトイレットペーパホルダが６つあるように構成してもよい。
【０００７】
また、前記複数連のトイレットペーパホルダが水平に等間隔で並んでいるように構成してもよい。
【０００８】
さらに、前記複数連のトイレットペーパホルダが上下２段で複数個水平に等間隔で並んでいるように構成してもよい。
【０００９】
また、前記情報がゴルフに関する情報であるように構成してもよい。
【００１０】
さらに、前記ゴルフに関する情報がゴルフレッスンに関する情報であるように構成してもよい。
【発明の効果】
【００１１】
本発明によれば、トイレットペーパを情報記録媒体とした、トイレという空間を積極的に学習の場あるいは情報収集の場として利用するための効率的な啓蒙システムが提供される。
【発明を実施するための最良の形態】
【００１２】
以下、図面を参照して本発明を実施するための最良の形態について説明する。
【００１３】
図１は、本発明の一実施形態に係るトイレットペーパを情報記録媒体とした啓蒙システムの概略を示す斜視図である。
【００１４】
本発明に係るシステム１００は、ホルダ部１０、紙切板１１およびトイレットペーパロール１２を有する最小構成ユニット５０を３個以上有することを特徴とする。図１では６つのユニット５０が水平に並んでいて、たとえばトイレ室内の壁面に設置される。
【００１５】
トイレットペーパロールを除いてユニット（トイレットペーパホルダ）５０は、通常トイレットペーパロールとして世の中に知られている、或いは流通しているものを設置できるものならばどのようなものでも構わない。
【００１６】
本発明に係るトイレットペーパロール１２は図２に示すように、長手方向に渡って情報部４０を有しており、情報記録媒体を構成している。情報部４０には、文字情報、画像情報など所望の情報が載せられる。たとえば情報部４０には、学習用教材の内容やゴルフレッスンに関する内容が載せられる。
トイレットペーパロール１２に情報部４０を設ける（担持させる）方法は、たとえば特開平９−２１５６２９号や特開２００２−３４８３３号に記載の方法など公知のトイレットペーパへの情報記載の方法がいずれも適用できる。
【００１７】
各ユニット５０には、担持する情報の異なるトイレットペーパロール１２が設置されていることが好ましく、こうすることで、ユーザは用便する度様々な知識を吸収し学習したり、新たな情報を収集することができ、効率的に啓蒙される。
【００１８】
図３は、本発明の別の実施形態に係るトイレットペーパを情報記録媒体とした啓蒙システムの概略を示す斜視図である。本実施例では、ユニット５０が６個あり、上下２段に３個ずつ並列して設けられており、図１の実施例に比べ、ユーザの手が各ユニットに届き易く使い易い。またさらに、図４のような配置にしてもよい。
【００１９】
以上説明したように、本実施形態によれば、３個以上の複数連のトイレットペーパホルダ５０と、前記トイレットペーパホルダ５０おのおのに装着された情報を担持したトイレットペーパ１２を有し、トイレという空間を積極的に学習の場あるいは情報収集の場として利用するための効率的な啓蒙システムが提供される。
【図面の簡単な説明】
【００２０】
【図１】本発明の一実施形態に係るトイレットペーパを情報記録媒体とした啓蒙システム１００の概略を示す斜視図である。
【図２】本発明に係るトイレットペーパロール１２の概略を示す斜視図である。
【図３】本発明の別の実施形態に係るトイレットペーパを情報記録媒体とした啓蒙システム１００の概略を示す斜視図である。
【図４】本発明トイレットペーパを情報記録媒体とした啓蒙システム１００のさらに別の実施形態に係る配置を示す斜視図である。
【符号の説明】
【００２１】
１０    ホルダ部
１１    紙切板
１２    トイレットペーパロール
４０    情報部
５０    ユニット（トイレットペーパホルダ）
１００  トイレットペーパを情報記録媒体とした啓蒙システム
【図１】
2006296639.tif 000003
【図２】
2006296639.tif 000004
【図３】
2006296639.tif 000005
【図４】
2006296639.tif 000006
(57)【要約】【課題】扉体の機器取付スペースが拡大するとともに外観が向上し、また、扉体の開閉操作がしやすい機器収納用箱体を提供する。【解決手段】機器収納用箱体１は、箱体本体２の前面開口部を開閉自在に閉塞する扉体３の側面を箱体本体２の側面と略面一に形成し、扉体３の開放側の側面に平面ハンドル４を設け、平面ハンドル４は本体部４ａに収納された把手４ｂを持ち上げて前面側に回動させると箱体本体２との係合が解除するようにした。【選択図】図１
2006296022.tif 000002
【特許請求の範囲】
【請求項１】
箱体本体の前面開口部を扉体で開閉自在に閉塞した機器収納用箱体において、前記扉体の開放側の側面に平面ハンドルを設けたことを特徴とする機器収納用箱体。
【請求項２】
前記平面ハンドルは把手を前面側に回動させると前記箱体本体との係合が解除するようにしたことを特徴とする請求項１に記載の機器収納用箱体。
【発明の詳細な説明】
【技術分野】
【０００１】
本発明は、扉体を箱体本体に固定するための平面ハンドルを備えた機器収納用箱体に関する。
【背景技術】
【０００２】
従来、箱体本体の前面開口部を扉体で開閉自在に閉塞した機器収納用箱体において、扉体の機器取付スペースを拡大したり、外観を向上させるために箱体本体の側面に平面ハンドルを設けたものがあった（例えば、特許文献１参照）。
【０００３】
【特許文献１】特開２０００−３１６２０８号公報（第１図）
【発明の開示】
【発明が解決しようとする課題】
【０００４】
しかしながら、従来の機器収納用箱体は箱体本体の側面に平面ハンドルが設けられているので扉体を開閉するために扉体にツマミを設ける必要があり、扉体の機器取付スペースが減少するとともに、外観が損なわれていた。
【課題を解決するための手段】
【０００５】
本発明は、請求項１に記載の発明によれば、箱体本体の前面開口部を扉体で開閉自在に閉塞した機器収納用箱体において、扉体の開放側の側面に平面ハンドルを設けたことを特徴とする。
【０００６】
請求項２に記載の発明によれば、請求項１に記載の機器収納用箱体において、平面ハンドルは把手を前面側に回動させると箱体本体との係合が解除するようにしたことを特徴とする。
【発明の効果】
【０００７】
請求項１に記載の発明によれば、扉体に設けた平面ハンドルの把手により扉体の開閉ができるので扉体のツマミを省くことができ、扉体の機器取付スペースが拡大するとともに外観が向上するという効果がある。
【０００８】
請求項２に記載の発明によれば、請求項１に記載の発明の効果に加えて、平面ハンドルの操作方向と扉体の開閉方向が一致するので扉体の開閉操作がしやすいという効果がある。
【発明を実施するための最良の形態】
【０００９】
機器収納用箱体は、箱体本体の前面開口部を開閉自在に閉塞する扉体の側面を箱体本体の側面と略面一に形成し、扉体の開放側の側面に平面ハンドルを設け、平面ハンドルは把手を持ち上げて前面側に回動させると箱体本体との係合が解除するように形成する。
【実施例１】
【００１０】
本発明に係る機器収納用箱体の実施例１を図１及び図２の添付図面に基づいて説明する。
【００１１】
機器収納用箱体１は、内部に各種機器を収納する箱体本体２と、箱体本体２の前面開口部２ａを閉塞する扉体３と、扉体３を箱体本体２に固定する平面ハンドル４とを備えている。
【００１２】
平面ハンドル４は扉体３の開放側の側面に設けられ、本体部４ａと、本体部４ａに収納された把手４ｂと、把手４ｂの上部を軸支する軸部４ｃと、軸部４ｃに固定された鉤状のラッチ板４ｄを有し、把手４ｂの下部を持ち上げて回動させることにより軸部４ｃを介してラッチ板４ｄが連動するようになっており、ラッチ板４ｄは把手４ｂが本体部４ａに収納された状態で先端の鉤状部が上方に向いている。
【００１３】
扉体３の側面は箱体本体２の側面と略面一に形成され、箱体本体２の側面の前端縁は内側方向に２回折曲されて枠部２ｂが形成されている。枠部２ｂには矩形状の係合孔２ｃが形成され、平面ハンドル４のラッチ板４ｄが係合するようになっている。
【００１４】
このように形成された機器収納用箱体１は、平面ハンドル４の把手４ｂを持って扉体３の開閉ができ、図２のように扉体３が閉塞した状態から開放するには、平面ハンドル４の把手４ｂの下部を持ち上げて反時計方向、即ち機器収納用箱体１の前面側に回動させることによりラッチ板４ｄと係合孔２ｃの係合が解除するのでそのまま把手４ｂを持って開放することができる。また、扉体３を開放した状態から閉塞するには、逆の手順により行う。
【００１５】
従って、機器収納用箱体１の平面ハンドル４の操作方向と扉体３の開閉方向が同じ方向となるので扉体３の開閉操作をスムーズに行うことができる。尚、扉体３の施錠は把手４ｂに設けられたシリンダ錠４ｅにより行う。
【図面の簡単な説明】
【００１６】
【図１】本発明の機器収納用箱体を示す斜視図である。
【図２】本発明の平面ハンドル周辺を示し、（ａ）は機器収納用箱体の左側面図、（ｂ）は（ａ）の横断面図である。
【符号の説明】
【００１７】
１    機器収納用箱体
２    箱体本体
２ａ    前面開口部
２ｃ    係合孔
３    扉体
４    平面ハンドル
４ａ    本体部
４ｂ    把手
４ｄ    ラッチ板
【図１】
2006296022.tif 000003
【図２】
2006296022.tif 000004
(57)【要約】      （修正有）【課題】種の保存の必要性ならびにクロマグロ等の養殖及び稚魚放流のため、魚類受精卵の生細胞、酵素の長期凍結を可能とする保存剤の提供。【解決手段】１０％のポリエチレングリコ−ル、１モルのマンニト−ルの有効成分ならびにｐＨ７．９のリン酸緩衝液からなる凍結保存液を使用し、−８５℃、１〜３ヶ月凍結後、解凍した受精卵は２０〜３０％が孵化した。【選択図】なし【特許請求の範囲】
【請求項１】
ポリエチレングリコ−ル、マンニト−ルの有効成分ならびにリン酸緩衝液の緩衝作用による魚受精卵の生細胞および酵素の保存剤
【請求項２】
１０％（Ｗ／Ｖ）ポリエチレングコ−ル、
１モル（分子量Ｗ／Ｖ）マンニト−ル
ｐＨ７．９リン酸緩衝液
に調整されたことを有効とする請求項１記載の魚受精卵の生細胞および酵素の保存剤
【請求項３】
サカナ受精卵の生細胞および酵素の凍結保存、低温保存を有効とする請求項１、請求項２記載の生細胞および酵素の保存剤
【発明の詳細な説明】
【発明の詳細な説明】
【０００１】［産業上の利用分野］
本発明は魚類、の受精卵の生細胞、酵素を凍結状態または低温で長期間保存に必要な生細胞および酵素の保存に関するものである。
【０００２】［従来の技術］
特公昭６０−２９４７１号、特開平５−３８２８４号等今日まで多くの研究が行われているが、サカナ等の受精卵の凍結保存によるところの孵化は皆無である
【０００３】［発明が解決しようとする課題］
魚類などの、受精卵の凍結保存の目的は、種の保存の必要性ならびにクロマグロ等の養殖及び稚魚放流にある。
【０００４】［課題を解決するための手段］
１〜２日のサカナ受精卵を容器に入れ、凍結保存液を注入し、氷蔵庫に低温保管する。その後ドライアイス入りエチルアルコ−ル液で急速凍結し、氷点下８５℃の冷凍庫にて保管する。
［解凍方法］
解凍は２８〜３０℃の温度とする。
【０００５】［作用］
サカナの受精卵はそのままだと５〜１０時間で劣化する。
凍結保存液の作用は不明なことが多いが保存液の有効成分であるポリエチレングリコ−ル６０００（ＰＥＧ６０００）は生細胞のタンパク質を保護する作用がある。
ＰＥＧ（ポリエチレングリコ−ル）は高分子をもつけれども、この分子のもつ多くの酸素原子および水酸基が水分子と水素結合する。
一方のタンパク質の分子表面の解離基や極性基に静電的相互作用（イオン水和）あるいは水素結合によって多くの水分子を取り込でいる。ＰＥＧは自由水と結合するとともにタンパク質の分子表面に結合している水分子（結合水）を奪いＰＥＧ分子中の酸素原子あるいは水酸基がタンパク質の分子表面の解離基あるいは極性基と静電的相互作用あるいは水素結合し、ＰＥＧとタンパク質は複合体を形成する。
保存液中のＰＥＧの作用はタンパク質表面の結合水を奪うことに効用があり、結合水がＰＥＧへとり込まれることになる。
凍結作用の負荷であるタンパク質表面の結合水はＰＥＧの効用でとり込まれ、生細胞中のタンパク質表面の結合水を結果的に保護することになる。
よって凍結作用によるところの結合水の挙動によるタンパク質の変性などは防止される。
【０００６】［実施例］
１〜２日のサカナ受精卵を２ｍｌ容器に入れ、凍結保存液を注入し、氷蔵庫にて低温保管する。
ドライアイス入りエチルアルコ−ル液で急速凍結し、氷点下８５℃にて１〜３ケ月冷凍庫に保管した。
解凍は２８〜３０℃の飽和硫酸アンモニウム海水で行いポリエチレングリコ−ルを除去し、その後孵化させた。
【０００７】［発明の効果］
サカナの凍結受精卵が２０〜３０％の割合で孵化した。
(57)【要約】      （修正有）【課題】釣のときに竿にとりつけ、毎回おこなうドラグ調整なしでコマセワーク、アクション動作ができ、糸を止めるときは手で圧力をかけ出したいときは手をはなすことで糸がでる。突然の魚の引きは手をはなすことで糸が流れでて、俊敏に対応、対処できる。【解決手段】釣糸を筒に通し、筒に圧力をかけ変形させ糸が出ないようにし、手をはなすことで糸がでるもので、竿に取りつけるか、始めより一体化した。【選択図】図２
2006296406.tif 000002
【特許請求の範囲】
【請求項１】
糸を通す、ゴム、シリコン等の筒状、はさみこむ物を有し、摩擦圧力、形状変形により、糸の引き出しを防止する。
圧力をなくすことで糸がスムーズに流れる物である。
【請求項２】
筒状物の中頃に、糸が通るガイドを設けた物である。
【請求項３】
ゴム、シリコン等変形、復元する物が糸によりキズ・キレがつかない様にガイドを設けた物である。
【発明の詳細な説明】
【技術分野】
【０００１】  本発明は、釣行のとき、マキエをコマス、エサをおどらせる際に、竿を上下させる時、釣糸が引き出ない様にするもので、突然の引きにはスムーズに糸がでる事に関するものである。
〔背景の技術〕【０００２】  従来、コマセル、おどらせる際は、リールのドラグを強くしめ糸が出ない様、竿を海面より頭上まで上下させる。後ハリスが切れない様にドラグを弱く調整している。その為突然の魚の引きには、なかなか弱くする調整が困難である。
〔発明が解決しようとする課題〕【０００３】  釣行のとき毎回おこなう、コマセル、おどらせる際には次のような問題点があった。
コマセル、おどらせるアクションの際は、毎回ドラグをしめて糸の引き出しを防止し、竿を海面より頭上に引きあげる。
後、魚の引きにハリスが切れない様にドラグを弱め再調整している。
毎回ドラグの調整省略したい事である。
ドラグを弱める調整前の突然の魚の引きに、竿をたてながらもちこたえて、片手でするドラグ調整は、ベテランでも非常に困難であり、バラス確率が非常に高いものです。
本発明は、これらの問題を解決するためになされたものである。
〔課題を解決するための手段〕【０００４】  釣糸を筒に通し、糸を出したくないときは、手の圧力動作で筒をつぶし、引き出しを防止する。
出したいときは、筒より手をはなすことで糸がスムーズに流れる様にする。
〔発明の効果〕【０００５】  本発明を使用すると、釣の流れの中での毎回のドラグ調整をなくし、手のおさえる、はなすで釣ができる。
魚の突然の引きには、手をはなすことで、俊敏に対応、対処する事ができる。
〔発明を実施するための最良の形態〕【０００６】  以下、本発明の実施の形態を説明する。
（イ）ゴム、シリコンなどからなる帯体（１）を設ける。
（ロ）変形圧力をかけられる筒（２）を設ける。
（ハ）マジックテープ（４）を設ける。
（ニ）釣針を止める穴（５）を設ける。
（ホ）釣糸（７）が筒（２）の中ほどを通す所にガイド（３）を設ける
（ヘ）釣糸（７）が筒（２）を切らない所にガイド（３）を設ける
本発明を使用する場合は、釣準備の時に、帯体（１）を竿（６）に固定し、筒（２）に糸（７）を通す、釣りを始め、糸（７）を出したくないときは、手で筒（２）に圧力をかけ、糸（７）が出ないようにし、出したい時は筒（２）より手をはなせば糸（７）がスムーズに流れるようにする。
【図面の簡単な説明】
【０００７】
【図１】本発明正面図
【図２】本発明の取り付け図
【符号の説明】
【０００８】（１）帯体、（２）筒、（３）ガイド、（４）マジックテープ、（５）穴
（６）竿、（７）釣糸
【図１】
2006296406.tif 000003
【図２】
2006296406.tif 000004
(57)【要約】      （修正有）【課題】カーテンの開閉において、手動によらず、またモーターの動力によらない方法で、カーテンの自動開閉動作を実現すること。【解決手段】カーテンの布地に形状記憶合金アクチュエータを繊維として織り込み、織り込んだ形状記憶合金アクチュエータに収縮する復元作用を発現してカーテンの布地自体を収縮伸張させることで、カーテンの自動開閉動作を実現する。【選択図】図５
2006296453.tif 000002
【特許請求の範囲】
【請求項１】
手動によらずに自動開閉させることが可能な電動カーテンであって、形状記憶合金アクチュエータを繊維として織り込んだカーテンの布地を利用することで、形状記憶合金アクチュエータの復元力によって布地を変形させてカーテンの開閉動作を可能とする自動開閉カーテンの構造。
【発明の詳細な説明】
【技術分野】
【０００１】
本発明は、手動によらないカーテンの自動開閉の方法に関する。
【背景技術】
【０００２】
従来の電動カーテンは、モーターの力でカーテンの布地の端に接続したワイヤーを巻き取ることで、カーテンの自動開閉動作を実現している。
【発明の開示】
【発明が解決しようとする課題】
【０００３】
本発明は、形状記憶合金アクチュエータを動力として用いることで、手動によらないカーテンの自動開閉動作を実現することを目的とする。
【課題を解決するための手段】
【０００４】
本発明は課題を解決する為に、カーテンの自動開閉動作の動力源として、通電すると発熱し一定温度以上で復元作用を発現する形状記憶合金アクチュエータの特性を利用する。
【０００５】
図１は、コイル状の形状記憶合金アクチュエータの一定温度以下の通常状態であり、この両端に力を加えて伸張させた状態が図２である。
【０００６】
図２において、形状記憶合金アクチュエータの両端に電流を流すと、形状記憶合金アクチュエータはジュール熱で発熱し、一定温度以上になると伸張させるのに必要な張力より大きな力で形状を復元する収縮力が働き、図１の状態に変形する。
【０００７】
図３は、形状記憶合金アクチュエータ31を繊維として布30に織り込んだ図である。このとき形状記憶合金アクチュエータ31は、記憶している形状から伸張された状態で導線32a,32b,32cにより電気配線されている。
【０００８】
図４は、図３の布に織り込まれた形状記憶合金アクチュエータに電流を流し、ジュール熱で発熱し一定温度以上になることで記憶した形状に復元する力が働いている状態の図である。この状態において形状記憶合金アクチュエータ41に配線した導線42a,42b,43cに流している電流を断ち、形状記憶合金アクチュエータの温度が一定温度より下がると、記憶している形状から柔軟に変形させることが出来るようになり、図３の状態に伸張することが可能となる。
【０００９】
この構造により、形状記憶合金アクチュエータを動力とする手動によらないカーテンの開閉動作を実現する。
【発明の効果】
【００１０】
本発明による自動開閉カーテンは、カーテンの布地を収縮制御してカーテンの自動開閉動作を実現することで、従来の電動カーテンの動力となっていたモータが不要となる。
【発明を実施するための最良の形態】
【００１１】
図５は、形状記憶合金アクチュエータを織り込んだカーテン50を設置した図である。図５の閉じた状態において、形状記憶合金アクチェータに接続された導線53a,53bに電流を流し発熱させ、カーテン50に縦方向に織り込まれた形状記憶合金アクチュエータに復元力を発現させることで、カーテン50を引き上げた図６の開いた状態になる。
【００１２】
図６の開いた状態において、導線63a, 63bに流れる電流を断ち、カーテン60に織り込まれた形状記憶合金アクチュエータの復元力による収縮が無くなると、カーテンは自重、あるいはカーテンの下部に内蔵するおもり62の重さによって、図５の閉じた状態になる。
【産業上の利用可能性】
【００１３】
本発明においては、カーテンの布に開閉動力を持たせているため、カーテンは上部を設置場所に固定するだけでよく、従来の電動カーテンの自動開閉動作に必要であったワイヤーと配線設備と動力源のモータが不要となる特徴がある。
【００１４】
本発明において、電動カーテンで必要とされていたモータが不要となることで、モータを内蔵していた上部のカーテンレールの構造が簡単になり、形状記憶合金アクチュエータに電流を供給する導線以外の構成部品がなくなることで、構造の小型化と軽量化が実現できるという特徴がある。
【００１５】
本発明においては、カーテンの布の一部を自由に収縮制御可能であるため、カーテンを自動開閉動作させる他に、自由に変形制御することが可能である。この動作は、結婚式などの式典で用いられる特殊な形に開く動作をするカーテンへの利用と、テーマパークの動きのあるアトラクションの一部として利用できるという特徴がある。
【図面の簡単な説明】
【００１６】
【図１】コイル状の形状記憶合金の収縮している状態の図である。
【図２】コイル状の形状記憶合金の伸張している状態の図である。
【図３】繊維状の形状記憶合金アクチュエータを織り込んだ布地の図である。
【図４】繊維状の形状記憶合金アクチュエータを織り込んだ布地を収縮させた状態の図である。
【図５】カーテンとして設置して閉じた状態の図である。
【図６】カーテンとして設置して開いた状態の図である。
【符号の説明】
【００１７】
30 : 形状記憶合金アクチュエータを織り込んだ布地が伸張した状態
31 : 織り込まれた繊維状の形状記憶合金アクチュエータが伸張している状態
32a,32b,32c : 形状記憶合金アクチュエータに電流を供給する導線
40 : 形状記憶合金アクチュエータを織り込んだ布地が収縮した状態
41 : 織り込まれた繊維状の形状記憶合金アクチュエータが収縮している状態
42a,42b,42c : 形状記憶合金アクチュエータに電流を供給する導線
50 : 形状記憶合金アクチュエータを織り込んだカーテンが下りている閉じた状態
51 : カーテンを吊る固定具
52 : カーテンの最下部に付けられた形を整える棒
53a,53b : 形状記憶合金アクチュエータに電流を供給する導線
60 : 形状記憶合金アクチュエータを織り込んだカーテンが上がっている開いた状態
61 : カーテンを吊る固定具
62 : カーテンの最下部に付けられた形を整える棒
63a,63b : 形状記憶合金アクチュエータに電流を供給する導線
【図１】
2006296453.tif 000003
【図２】
2006296453.tif 000004
【図３】
2006296453.tif 000005
【図４】
2006296453.tif 000006
【図５】
2006296453.tif 000007
【図６】
2006296453.tif 000008
(57)【要約】【課題】  柚子などの香酸柑橘類の搾汁装置において、果皮由来の有用成分である精油や植物ステロイドなどの果皮有用成分の含有量を増加させることのできる、新しい柑橘系果実の搾汁方法および搾汁装置を提供する。【解決手段】  柚子などの香酸柑橘類の果実圧搾による搾汁方法において、搾汁前に特別の前処理を必要とせず、また果汁の酸化を受けず、果汁の二次汚染をきたすことなく、搾汁中の柑橘系果実にオイルフリーのコンプレッサーにより、常時エアーブローを施す。【選択図】なし【特許請求の範囲】
【請求項１】
柑橘系果実を圧搾することで果汁を得ることのできる搾汁方法において、果実圧搾中に圧搾ライン中の果実にエアーブローをほどこすことにより、果皮表面に付着した成分を抽出することを特徴とする果実の搾汁方法。
【請求項２】
柑橘系果実を圧搾することで果汁を得ることのできる搾汁装置において、果実圧搾中に圧搾ライン中の果実にエアーブローをほどこす装置を装着することにより、果皮表面に付着した成分を抽出することを特徴とする果実の搾汁装置。
【発明の詳細な説明】
【技術分野】
【０００１】
本発明は、柑橘系果実の搾汁方法および搾汁装置に関するものである。さらに詳しくは、果汁中の精油や果皮有用成分の含有量が増加する新しい果実の搾汁方法や搾汁装置に関するものである。
【背景技術】
【０００２】
柚子の搾汁においては、ベルト式またはキャタピラー式搾汁装置が使用されており、四国をはじめ九州や関東でも普及している。
【０００３】
また、この搾汁方法については、特願２００４−１０９４３０において記載されている。
【０００４】
搾汁された柚子果汁を循環させる搾汁方法や搾汁装置に関しても特願２００４−１０９４３０においてすでに記載されている。
【発明の開示】
【発明が解決しようとする課題】
【０００５】
しかしながら、上記出願の搾汁方法ではあらかじめ果汁を貯留部に貯めるという前操作を必要とする。
【０００６】
また、果汁循環の時間が長くなれば、果汁や精油が酸化されるという新たな問題や果汁貯留部や循環ポンプを用いることによる二次汚染の可能性がでてくる。
【０００７】
そこで、この出願の発明は、以上のようなことを慮りなされたものであって、従来技術の問題点を解決して、果汁中の精油や果皮有用成分の含有量が増加する新しい果実の搾汁方法や搾汁装置を提供することを課題としている。
【課題を解決するための手段】
【０００８】
この出願の発明は、前記の課題を解決するものとして、柑橘系果実の圧搾中に圧搾果実表面にエアーブローを施すことを特徴とする柑橘系果実の搾汁方法と搾汁装置を提供するものである。
【発明の効果】
【０００９】
この出願の発明は、柑橘果実の搾汁方法および搾汁装置によって、果汁中の精油や果皮有用成分の含有量を増加させることができる。
【発明を実施するための最良の形態】
【００１０】
この出願の発明は、上記のとおりの特徴をもつもので、以下にその実施の形態について詳しく説明する。
【００１１】
柚子果実などの搾汁装置として使用されているベルト式またはキャタピラー式搾汁装置の中央部と、搾汁果実排出部にエアーブロー装置を取り付け、オイルフリーのコンプレッサーより供給されるエアーを搾汁中の果実に吹き付けることにより果実表面に付着している果汁や精油を効率よく抽出することにより精油や果皮有用成分を多く含む果汁を得ることができる。
【００１２】
さらに、この出願の発明の搾汁装置より得られる果汁は、精油や果皮有用成分が豊富なために、この果汁を使用した新規な製品を作ることができる。
【００１３】
また、この出願の発明の方法は、他の圧搾方式をもつドラム式や円盤式搾汁機にも適用することができる。
【００１４】
次に実施例をあげて本発明を詳細に説明するが、本発明はこれらの実施例に何ら限定されるものではない。
【実施例】
【００１５】
この出願の発明の柑橘果実搾汁方式を「エアーブロー方式」とする。
【００１６】
エアーブロー方式搾汁装置とは、具体的には柚子搾汁装置（（株）井河鉄工所；型式ＳＦＰ−２２００）の中央部と果実排出部にエアーブロー装置を取り付け、日立オイルフリースクロール圧縮機（型式ＳＲＬ−３．７ＤＢ５／６）と接続して常時エアーの供給をする装置である。
【００１７】
搾汁された果汁の精油含量は、日本薬局方一般分析法における公定分析用の精油定量装置（柴田科学株式会社）を使用した。丸底フラスコ（１Ｌ）に果汁２５０ｇと沸騰石をいれ、４０Ｖに調整した電気マッフルを用いて２．５時間、加熱沸騰させた後に、ビュレットに貯まった精油を分離、秤量した。
【００１８】
搾汁後の精油含量を表１に示したとおりであった。
【００１９】
【表１】
2006296362.tif 000002
【００２０】
エアーブロー方式による搾汁では、従来の搾汁方式に比べて約１．２倍の精油含量が確認できた。
【００２１】
果皮由来の有用成分については、アスコルビン酸、植物ステロイド、α‐トコフェロール、ソラレンを測定した。
【００２２】
植物ステロイドは、β‐シトステロール、カンペステロール、スチグマステロールを測定した。
【００２３】
アスコルビン酸、α‐トコフェロール、ソラレンは高速液体クロマトグラフを用い、植物ステロイドはガスクロマトグラフで測定した。
【００２４】
搾汁果汁のアスコルビン酸、植物ステロイド、α‐トコフェロール、ソラレンの測定結果を表２に示す。
【００２５】
【表２】
2006296362.tif 000003
【００２６】
スチグマステロールを除き、エアーブロー方式による果汁中の果皮有用成分の含有量が増えている。また、スチグマステロールに関しても測定感度をあげれば有用な差のでることが期待できる。
【００２７】
エアーブロー方式による精油をＧＣ−ＭＳにかけたが、リモネンオキサイドやリナロールオキサイドなどの酸化を示唆する物質は確認できなかったので、酸化のないことが確認できた。
【００２８】
従前の柑橘系の搾汁装置に簡単なエアーブロー装置を取り付けることにより、柚子精油や果皮有用成分を増加させることにより、精油成分や果皮有用成分を多量に含むジュース、ポン酢醤油などの新製品の開発が可能となる。
(57)【要約】      （修正有）【課題】小さい魚信を大きく拡大して釣り人に魚信をわかりやすく知らせる浮子を提供する。【解決手段】梃子の原理を浮子に応用して、小さい魚信を大きく表現した浮子とする。浮子の動作を拡大して表示し釣り人に知らせる。【選択図】図１
2006296396.tif 000002
【特許請求の範囲】
【請求項１】
本発明は、一つの浮子の役割を３分割して、魚信を梃子の原理を応用して拡大して釣り人に知らせる効果を高める浮子である。浮子の役割を３分割して、（Ａ）は浮子全体の浮力を保持すると共に、梃子の支点の役割をする浮子。（Ｂ）は釣り糸を通して魚信を伝える荷重点の役割と浮子全体を傾斜した状態に保つ役割をする浮子。（Ｃ）は（Ｂ）の信号を拡大して釣り人に知らせる力点の役割をする浮子。
【請求項２】
浮子の、（Ｃ）の部分が水面より上にある状態が重要である浮子。水面に傾斜して浮かんだ浮子の状態が重要であり、浮子の信号を拡大して釣り人に知らせる（Ｃ）の部分が水の表面張力や水面の動きに影響されない浮子。
【発明の詳細な説明】
【技術分野】
【０００１】本発明は、魚の浮子に与える信号を数倍に拡大して釣り人に見やすくするために考案したものである。
【背景技術】
【０００２】従来の浮子は、魚信がストレートに浮子に伝達されていた。
【発明の開示】
【発明が解決しようとする課題】
【０００３】魚信をストレートに伝達するのではなく、数倍に拡大して釣り人に見やすくする浮子である。
【課題を解決するための手段】
【０００４】本発明は、一つの浮子の役割を３分割して、魚信を梃子の原理を応用して拡大して釣り人に知らせる効果を高める浮子である。浮子の役割を３分割して、（Ａ）は浮子全体の浮力を保持すると共に、梃子の支点の役割をする浮子。（Ｂ）は釣り糸を通して魚信を伝える荷重点の役割をする浮子。（Ｃ）は（Ｂ）の信号を拡大して釣り人に知らせる力点の役割をする浮子。浮子の、（Ｃ）の部分が水面より上にある状態が重要である浮子。水面に傾斜して浮かんだ浮子の状態が重要であり、浮子の信号を拡大して釣り人に知らせる（Ｃ）の部分が水の表面張力や水面の動きに影響されない浮子。
【発明の効果】
【０００５】本発明は、一つの浮子の役割を３分割して、魚信を梃子の原理を応用して拡大して釣り人に知らせる効果を高めている。
【発明を実施するための最良の形態】
【０００６】以下、本発明の実施の形態を図１から図２に基づいて説明する。
【実施例１】
【０００７】浮子の役割を３分割した図である。（Ａ）は浮子全体の浮力を保持すると共に、梃子の支点の役割を容易にするため丸い形にする。（Ｂ）は（Ａ）の浮力と比べて浮力を小さくなるように考慮して、魚信を釣り人に知らせる役目の（Ｃ）を水面から浮き上がらせて浮子全体の姿を傾斜した状態にすると同時に、魚信を伝える荷重点の役割を果たすために（Ａ）から一定の距離を保つ細長い形とする。（Ｃ）はＢの魚信を拡大して釣り人に拡大して知らせる力点の役割をするものである。浮力には関与しないので軽量で細長く作れる柔軟な素材が求められる。水面に傾斜して浮かんだ状態の浮子が魚信を拡大して釣り人に知らせる（Ｃ）の部分が水面の上にあり水の表面張力や水面の動きに影響されないことが重要である。    （図１）【０００８】（Ｂ）の魚信を（Ｃ）で拡大して釣り人に知らせている図。    （図２）
【産業上の利用可能性】
【０００９】本発明は、小さい魚信を拡大してわかりやすく釣り人に伝える浮子であり、釣り人に貢献できると思われます。
【図面の簡単な説明】
【００１０】
【図１】浮子の役割を３分割した図である（Ａ）は浮子全体の浮力を保持すると共に、梃子の支点の役割をする。（Ｂ）は釣り糸を通して魚信を伝える荷重点の役割をする。（Ｃ）は（Ｂ）からの魚信を拡大して釣り人に知らせる力点の役割をする。水面に傾斜して浮かんだ状態の浮子が信号を拡大して釣り人に知らせる。（Ｃ）の部分が水面の上にあり水の表面張力や水面の動きに影響されないことが重要である。
【図２】魚信を釣り人に知らせている浮子の様子。
【符号の説明】
（Ａ）  浮子全体の浮力を保持すると共に、梃子の支点の役割をする。
（Ｂ）  釣り糸を通して魚信を伝える荷重点の役割をする。
（Ｃ）  （Ｂ）の魚信を拡大して釣り人に知らせる力点の役割をする。
【図１】
2006296396.tif 000003
【図２】
2006296396.tif 000004
(57)【要約】【課題】健康増進や慢性疾患改善の目的で飲用されるミネラル水の製造方法。【解決手段】クエン酸１５ｇ／Ｌ含有するｐＨ１．５〜２．０の酸性水に、粒度１〜３ｍｍのトルマリン原石を５ｇ／Ｌ添加し１５日間熟成させた後、粒度１〜５ｍｍの堆積珊瑚粉末を２０ｇ／Ｌを添加し更に１５日間熟成させた後、ｐＨを３．０〜３．５に調整し未溶解物を濾過除去することを特徴とするミネラル水の製造方法。【特許請求の範囲】
【請求項１】
クエン酸１５ｇ／Ｌ含有するｐＨ１．５〜２．０の酸性水に、粒度１〜３ｍｍのトルマリン原石を５ｇ／Ｌ添加し１５日間熟成させた後、粒度１〜５ｍｍの堆積珊瑚粉末を２０ｇ／Ｌを添加し更に１５日間熟成させた後、ｐＨを３．０〜３．５に調整し未溶解物を濾過除去することを特徴とするミネラル水の製造方法。
【発明の詳細な説明】
【技術分野】
【０００１】本発明は、健康増進や慢性疾患改善の目的で飲用されるミネラル水の製造方法に関するものである。
【背景技術】
【０００２】人体には各種ミネラル分（無機質）が含まれており生命活動には必要不可欠なものである。カルシウム、カリウム、ナトリウム、リンなどは比較的大量人体に存在し、亜鉛、マンガン、鉄などは少量存在する。他にもシリコン、ゲルマニウム、など極めて微量なものも人体には存在し、これらミネラル成分の含有バランスは健康維持にとって極めて重要である。【０００３】人体における微量ミネラル成分が健康に及ぼす影響は従来考えられていたよりもはるかに大きい事が分かって来た。
【発明の開示】
【発明が解決しようとする課題】
【０００４】本発明は、天然に太古から存在する化石的資源が持つ人体に有益なミネラル成分を有効に人体が摂取できるミネラル水を製造し、人類幸福に寄与する事を課題とする。
【課題を解決するための手段】
【０００５】本発明は、クエン酸１５ｇ／Ｌ含有するｐＨ１．５〜２．０の酸性水に、粒度１〜３ｍｍのトルマリン原石を５ｇ／Ｌ添加し１５日間熟成させた後、粒度１〜５ｍｍの堆積珊瑚粉末を２０ｇ／Ｌを添加し更に１５日間熟成させた後、ｐＨを３．０〜３．５に調整し未溶解物を濾過除去することを特徴とするミネラル水の製造方法により上記課題を解決する。
【発明の効果】
【０００６】本発明の製造方法で作られるミネラル水は、神経疾患症状の緩和、慢性疾患の改善、健康増進・細胞活性をもたらし、人類幸福に寄与するものである。
【発明を実施するための最良の形態】
【０００７】本発明のアルカリ水を具体的に説明する。本発明では、ミネラル成分の原料として、トルマリン原石と堆積珊瑚（アラゴナイト）を用いる。これらを人体に無害なクエン酸を用いて有用成分を溶解させたもので、カルシウム、ナトリウム、イオウ、マグネシウム、カリウム、鉄、スズ、マンガン、ニッケル、フッ素が含まれ、この他にも多くの微量元素が含まれている。【０００８】トルマリンは針状結晶体の代表的な鉱物で、ストレスを和らげ、血行促進や神経症状緩和などに多くの効能があるマイナスイオンを放出すると言われている。【０００９】本発明では、原料として堆積珊瑚を用いるが、これは沖縄本島の地中に眠る約２億年前の化石化した珊瑚礁からなるもので、別名琉球石灰岩または堆積アラゴナイトと呼ばれるものである。この堆積珊瑚には、太古のカルシウムや多くのミネラルがそのまま存在している。【００１０】本発明のミネラル水では堆積珊瑚由来のカルシウムを多く含むが、このカルシウムは人体への吸収率が極めて高く、理想的なカルシウムと言われている。
【実施例１】
【０００１１】本発明の製造方法を具体的に説明する。水２０Ｌにクエン酸３００ｇを溶解させ、ｐＨを１．５〜２．０に調整する。これに粒度を１〜３ｍｍのトルマリン原石を１００ｇ入れ、１５日間置き熟成させる。その後、１〜５ｍｍの堆積珊瑚粉末を８００ｇ入れ、１５日間置き熟成させ、ｐＨを３．０〜３．５に調整し、未溶解物を濾過除去してミネラル水が完成する。
【手続補正書】
【提出日】平成17年9月26日(2005.9.26)
【手続補正１】
【補正対象書類名】特許請求の範囲
【補正対象項目名】請求項１
【補正方法】変更
【補正の内容】
【請求項１】
クエン酸１５ｇ／Ｌ含有するｐＨ１．５〜２．０の酸性水に粒度１〜３ｍｍのトルマリン原石を５ｇ／Ｌ添加し１５日間熟成させた後、粒度１〜５ｍｍの堆積珊瑚粉末を２０ｇ／Ｌを添加し更に１５日間熟成させた後、ｐＨを３．０〜３．５に調整し、糖蜜を加え未溶解物を濾過除去することを特徴とするミネラル水の製造方法。
【手続補正２】
【補正対象書類名】明細書
【補正対象項目名】０００５
【補正方法】変更
【補正の内容】
【０００５】  本発明は、クエン酸１５ｇ／Ｌ含有するｐＨ１．５〜２．０の酸性水に、粒度１〜３ｍｍのトルマリン原石を５ｇ／Ｌ添加し１５日間熟成させた後、粒度１〜５ｍｍの堆積珊瑚粉末を２０ｇ／Ｌを添加し更に１５日間熟成させた後、ｐＨを３．０〜３．５に調整し、糖蜜を加え未溶解物を濾過除去することを特徴とするミネラル水の製造方法により上記課題を解決する。
【手続補正３】
【補正対象書類名】明細書
【補正対象項目名】０００７
【補正方法】変更
【補正の内容】
【０００７】  本発明のアルカリ水を具体的に説明する。本発明では、ミネラル成分の原料として、トルマリン原石と堆積珊瑚（アラゴナイト）糖蜜を用いる。これらを人体に無害なクエン酸を用いて有用成分を溶解させたもので、カルシウム、ナトリウム、イオウ、マグネシウム、カリウム、鉄、スズ、マンガン、ニッケル、フッ素が含まれ、この他にも多くの微量元素が含まれている。
【手続補正４】
【補正対象書類名】明細書
【補正対象項目名】００１１
【補正方法】変更
【補正の内容】
【００１１】  本発明の製造方法を具体的に説明する。水２０Ｌにクエン酸３００ｇを溶解させ、ｐＨを１．５〜２．０に調整する。これに粒度を１〜３ｍｍのトルマリン原石を１００ｇ入れ、１５日間置き熟成させる。その後、１〜５ｍｍの堆積珊瑚粉末を８００ｇ入れ、１５日間置き熟成させ、ｐＨを３．０〜３．５に調整し、糖蜜を加え未溶解物を濾過除去してミネラル水が完成する。
(57)【要約】【課題】断熱布を用いて袋状のにすることにより植物の根を暑さ寒さから守り、タレがあるので水が袋の内側を流れず鉢の中に落ちる植木鉢カバーを提供する。【解決手段】外側に防水布を内側に断熱布を使い袋状にし、口の内側にはタレをつけ、口はゴムや紐で絞れることを特徴とする。【選択図】  図  １
2006296400.tif 000002
【特許請求の範囲】
【請求項１】
口の内側にタレを付けた断熱布の袋状カバー
【発明の詳細な説明】
【技術分野】
【０００１】この発明は、断熱布を用いて袋を作り、口の内側にタレを付けた断熱鉢カバーに関するものである。
【背景技術】
【０００２】従来、断熱用の鉢カバーはなかった。
【発明の開示】
【発明が解決しょうとする課題】
【０００３】温度の変化に敏感な鉢植えの植物の根は、夏は高温に冬は低音に負けて、弱ったり枯れたりしていた。
本発明は、以上のような状態をなくすためになされたものである。
【課題を解決するための手段】
【０００４】断熱布で口の絞れる袋を作り、口の内側にタレをつける。
以上の構成よりなる断熱鉢カバーである。
【発明の効果】
【０００５】鉢植えの根を、高温低温から保護できる。タレがあるので、水がタレに沿って鉢の中に落ち袋の内側を流れない。
【発明を実施するための最良の状態】
【０００６】以下、本発明の実施例について説明する。
表は、水を通さない布を使い内側は断熱布で袋状にし、口の内側にタレをつける。袋の口はゴム又は紐などで絞れるようにする。
本発明は、以上のような構造でこれを使用するときは、鉢植えを袋の中に入れ口を絞ると、根を保護できるし水も鉢の中に落ちる。袋は二重構造なので、間に断熱材を追加すれば断熱効果は一段とよくなる。
【図面の簡単な説明】
【０００７】
【図１】  本発明の断面図である
【図２】  本発明の斜視図である
【符号の説明】
【０００８】  （１）  ゴム
（２）  タレ
（３）  断熱布
（４）  表
【図１】
2006296400.tif 000003
【図２】
2006296400.tif 000004